(57)【要約】      （修正有）【課題】片手でボトルキャップを簡単に開けることができるとともに、蓋部が簡単に外れないようにしたペットボトルのキャップ構造を提供する。【解決手段】ボトルキャップは、ボトル本体首部に取り付けられるキャップ本体１０と、キャップ本体１０に繋がる蓋部１１とを備える。キャップ本体１０の上部には、キャップ本体１０よりも上方に突出して飲み口２０を有する立上り口部１８が設けられる。キャップ本体１０には、蓋部１１を開閉動作可能に支持する支持機構２２が設けられる。ボトルキャップには、飲み口２０が蓋部１１によって閉塞された際に、蓋部１１をキャップ本体１０に結合する結合機構が設けられる。【選択図】図４
0003188713.tif 000002
【実用新案登録請求の範囲】
【請求項１】
首部を有するボトル本体と、
前記首部の開口を塞ぐように前記首部に取り付けられるボトルキャップとを備えるペットボトルのキャップ構造において、
前記ボトルキャップは、前記ボトル本体の前記首部に取り付けられるキャップ本体と、前記キャップ本体に繋がる蓋部とを備え、
前記キャップ本体の上部には前記キャップ本体よりも上方に突出して飲み口を有する立上り口部を設け、
前記蓋部を開閉動作可能に支持する支持機構を設け、
前記飲み口が前記蓋部によって閉塞された際に前記蓋部を前記キャップ本体に結合する結合機構を設けたことを特徴とするペットボトルのキャップ構造。
【請求項２】
前記蓋部には、前記蓋部が前記立上り口部の前記飲み口を閉塞している際に、前記蓋部が前記キャップ本体から外れないように前記ボトル本体に係止されるロック用部材を設けたことを特徴とする請求項１に記載のペットボトルのキャップ構造。
【請求項３】
前記キャップ本体には、ストラップ取付部を設けたことを特徴とする請求項１に記載のペットボトルのキャップ構造。
【考案の詳細な説明】
【技術分野】
【０００１】
この考案は、ペットボトルのキャップ構造に係り、特に片手で開けることができるボトルキャップを備えたペットボトルのキャップ構造に関する。
【背景技術】
【０００２】
ペットボトルは、一般に、飲料物を入れるボトル本体と、このボトル本体に取り付けられるボトルキャップとから構成される。 
ボトルキャップは、ボトル本体の首部の外周面に形成した雄ねじに螺合する雌ねじを備え、使用時には、緩める方向に廻されることで、ボトル本体の首部から取り外され、一方、不使用時には、締める方向に廻されることで、ボトル本体の首部に取り付けられる。
このようなペットボトルのキャップ構造としては、以下の先行技術文献がある。 
【先行技術文献】
【特許文献】
【０００３】
【特許文献１】実用新案登録第３１３１７２３号公報
【０００４】
特許文献１に係る飲料用容器の栓保持部材は、ボトル本体とボトルキャップとを接続する構造であって、ボトル本体の首部にボトルキャップが落ちないように、接続部を設けた構造である。
【考案の概要】
【考案が解決しようとする課題】
【０００５】
ところが、従来、ペットボトルにあっては、飲料物を飲むときに、片手でボトル本体を持ち、もう一方の手でボトルキャップを廻してボトル本体の首部から取り外さなければならず、必ず両手を必要とし、このため、車両の運転中での使用が困難であったり、片手が不自由な人にとっては利用が困難であり、改善が望まれていた。
上記の特許文献１では、保持部がボトル本体の肩部から上方に曲がってボトルキャップの上面まで延設していることから、湾曲状の接続部に人の指などが引っ掛かり易く、このため、ボトルキャップが外れ易く、改善が望まれていた。
【０００６】
そこで、この考案は、片手でボトルキャップを簡単に開けることができるとともに、ボトルキャップが簡単に外れないようにするペットボトルのキャップ構造を提供することにある。
【課題を解決するための手段】
【０００７】
この考案は、首部を有するボトル本体と、前記首部の開口を塞ぐように前記首部に取り付けられるボトルキャップとを備えるペットボトルのキャップ構造において、前記ボトルキャップは、前記ボトル本体の前記首部に取り付けられるキャップ本体と、前記キャップ本体に繋がる蓋部とを備え、前記キャップ本体の上部には前記キャップ本体よりも上方に突出して飲み口を有する立上り口部を設け、前記蓋部を開閉動作可能に支持する支持機構を設け、前記飲み口が前記蓋部によって閉塞された際に前記蓋部を前記キャップ本体に結合する結合機構を設けたことを特徴とする。
【考案の効果】
【０００８】
この考案は、片手でボトルキャップを簡単に開けることができるとともに、ボトルキャップが簡単に外れないようにすることができる。
【図面の簡単な説明】
【０００９】
【図１】図１はボトルキャップが取り付けられたペットボトルの側面図である。（実施例１）
【図２】図２はペットボトルのボルト本体の側面図である。（実施例１）
【図３】図３はボトルキャップの断面図である。（実施例１）
【図４】図４はボトルキャップの蓋部を開けた状態の断面図である。（実施例１）
【図５】図５はボトルキャップの蓋部を開けて展開状態の平面図である。（実施例１）
【図６】図６はペットボトルのボルト本体の側面図である。（実施例２）
【図７】図７はロック用部材の正面図である。（実施例２）
【図８】図８はストラップ取付部を設けたボルト本体の側面図である。（実施例３）
【考案を実施するための形態】
【００１０】
この考案は、片手でボトルキャップを簡単に開けることができるとともに、ボトルキャップが簡単に外れないようにする目的を、ボトルキャップの内部形状を変更して実現するものである。
【実施例１】
【００１１】
図１〜図５は、この考案の実施例１を示すものである。 
図１に示すように、ペットボトル１は、ボトル本体２と、このボトル本体２に取り付けられるボトルキャップ３とを備える。 
ボトル本体２は、図２に示すように、ボトル胴部４と、このボトル胴部４の上部位の肩部５と、この肩部５から先端側に窄んでボトル開口６を有する首部７とから構成される。
この首部７には、外周面で、雄ねじ８が形成されているとともに、この雄ねじ８の下部で環状突出部９が形成されている。 
【００１２】
図３〜図５に示すように、ボトルキャップ３は、例えば、プリプロピレン（ＰＰ）で一体成形されるものであって、ボトル本体２の首部７に取り付けられるキャップ本体１０と、このキャップ本体１０に繋がる蓋部１１とを備える。この蓋部１１は、冠形状であって、下方へ開口し、上面部１２と、この上面部１２に繋がる側面部１３とから構成される。
【００１３】
キャップ本体１０は、キャップ胴部１４と、このキャップ胴部１４の上部に繋がる環状面部１５とを備える。 
キャップ胴部１４の内面には、ボトル本体２の首部７の雄ねじ８に螺合する雌ねじ１６が形成されている。 
環状面部１５は、キャップ胴部１４の内径よりも小さな内径のキャップ開口１７を有する。 
【００１４】
キャップ本体１０の上部には、筒状の立上り口部１８が設けられる。 
この立上り口部１８は、環状面部１５の裏面に係止する係止用円環部１９と、この係止用円環部１９に繋がって環状面部１５のキャップ開口１７から上方に突出して飲み口２０を有する立上り筒状部２１とを備える。
【００１５】
さらに、キャップ本体１０には、蓋部１１を開閉動作可能に支持する支持機構２２が設けられる。 
この支持機構２２は、図４、図５に示すように、環状面部１５の一部に形成した一対の本体側土台２３・２３と、この一対の本体側土台２３・２３に対応して蓋部１１の一部に形成した一対の蓋側土台２４・２４と、一対の本体側土台２３・２３と一対の蓋側土台２４・２４とを繋ぐように設けられて蓋部１１を揺動可能とする一対の薄肉部２５・２５とからなる。
また、キャップ本体１０と蓋部１１との間には、一端が本体側土台２３・２３間でキャップ本体１０に繋がるとともに、他端が蓋側土台２４・２４間で且つ蓋部１１の上面部１２に繋がる帯状の連結部２６が設けられる。この連結部２６は、蓋部１１が開閉動作することで、撓むものである。
【００１６】
蓋部１１の上面部１２の裏面には、蓋部１１が閉動作した際に、飲み口２０に位置してこの飲み口２０を閉塞可能な円形状の閉塞材２７が設けられる。
【００１７】
また、ボトルキャップ３には、結合機構２８が設けられる。 
この結合機構２８は、図４、図５に示すように、環状面部１５の外周面の上側の周縁部位に形成した周縁溝２９と、蓋部１１の側面部１３の内周面の下側の周縁部位に形成した周縁突部３０とからなり、閉塞材２７によって飲み口２０を閉塞するように、蓋部１１をキャップ本体１０にクリック感を持って結合するものである。
【００１８】
また、図１に示すようの、キャップ本体１０のキャップ胴部１４の上部位には、蓋部１１を開ける際に、蓋部１１の周縁部位の一部に人の指が引っ掛かり易いように、凹部３１が形成される。
【００１９】
上記のような構造により、使用時には、片手でボトル本体２のボトル胴部４を握り、そして、その手の親指をキャップ本体１０の凹部３１の位置から上方に動かして蓋部１１を開動作すると、蓋部１１がキャップ本体１０から支持機構２２の薄肉部２５・２５を中心にして大きく揺動し、これにより、飲み口２０からボトル本体２の飲料物を飲むことができる。
従って、片手でボトルキャップ３の蓋部１１を簡単に開けることができ、運転中での使用を可能にしたり、片手が不自由な人でも容易に使用することができる。
また、不使用時には、結合機構２８の存在により、蓋部１１が簡単に外れないようにすることができる。 
さらに、ボトルキャップ３周辺には突起物が存在しないので、ボトルキャップ３のスリム化を図り、引っ掛かる物が存在せず、何かに引っ掛かることがなく、蓋部１１が勝手に開かないようにすることができる。
また、ボトルキャップ３をプリプロピレン（ＰＰ）で一体成形すれば、製造コストを低減することができる。 
【実施例２】
【００２０】
図６、図７は、この考案の実施例２を示すものである。 
以下の実施例においては、上述の実施例１と同一機能を果たす箇所には同一符号を付して説明する。 
この実施例２の特徴とするところは、以下の点にある。即ち、蓋部１１には、蓋部１１が立上り口部２１の飲み口２０を閉塞しているときに、蓋部１１がキャップ本体１０から外れないようにボトル本体１０に係止されるロック用部材３２を設けた。
このロック用部材３２は、図７に示す正面視において、円形状で合い口３３を形成する輪状部３４と、この輪状部３４の両端でボトル本体の首部７の直径よりも小さな幅で対向する一対の係止用部３５・３５と、この一対の係止用部３５・３５に接続して輪状部３４に対して直角で且つ後方に延びる一対の直線部３６・３６と、この直線部３６・３６の後端で内側に直角に曲がった取付端部３７・３７とからなる。この取付端部３７・３７は、蓋部１１の側面部１３に形成した取付穴３８・３８に回動可能に支持される。
このロック用部材３１は、取付端部３７・３７を中心に回動した際に、一段目として、一対の係止用部３５・３５がボトル本体２の環状突出部９に接して弾性変形し、そして、さらに、回動すると、二段目として、一対の係止用部３５・３５がボトル本体２の首部７に接してボトルキャップ３をボトル本体２に保持する。
このような構造により、ボトルキャップ３をボトル本体２に堅固に保持させることができる。 
【実施例３】
【００２１】
図８は、この考案の実施例３を示すものである。 
この実施例３の特徴とするところは、以下の点にある。即ち、キャップ本体１０には、キャップ胴部１４でストラップ取付部３９を設けた。このストラップ取付部３９は、キャップ胴部１４の外周面と協働して挿通孔４０を形成し、この挿通孔４０に挿通したストラップ４１の結線４２を取り付けさせる。
このような構造により、ボトルキャップ３の持ち運びが容易になるとともに、ボトルキャップ３の紛失を防止することができる。 
【産業上の利用可能性】
【００２２】
この考案に係るペットボトルのキャップ構造は、各種ボトルに適用可能である。 
【符号の説明】
【００２３】
１  ペットボトル 
２  ボトル本体 
３  ボトルキャップ 
４  ボトル胴部 
５  肩部 
６  ボトル開口 
７  首部 
８  雄ねじ 
９  環状突出部 
１０  キャップ本体 
１１  蓋部 
１２  上面部 
１３  側面部 
１４  キャップ胴部 
１５  環状面部 
１６  雌ねじ 
１７  キャップ開口 
１８  立上り口部 
１９  係止用円環部 
２０  飲み口 
２１  立上り筒状部 
２２  支持機構 
２３  本体側土台 
２４  蓋側土台 
２５  薄肉部 
２６  連結部 
２７  閉塞材 
２８  結合機構 
２９  周縁溝 
３０  周縁突部 
３１  凹部 
【図１】
0003188713.tif 000003
【図２】
0003188713.tif 000004
【図３】
0003188713.tif 000005
【図４】
0003188713.tif 000006
【図５】
0003188713.tif 000007
【図６】
0003188713.tif 000008
【図７】
0003188713.tif 000009
【図８】
0003188713.tif 000010
【手続補正書】
【提出日】平成25年11月20日(2013.11.20)
【手続補正１】
【補正対象書類名】実用新案登録請求の範囲
【補正対象項目名】全文
【補正方法】変更
【補正の内容】
【実用新案登録請求の範囲】
【請求項１】
首部を有するボトル本体と、 
前記首部の開口を塞ぐように前記首部に取り付けられるボトルキャップとを備えるペットボトルのキャップ構造において、 
前記ボトルキャップは、前記ボトル本体の前記首部に取り付けられるキャップ本体と、前記キャップ本体に繋がる蓋部とを備え、 
前記キャップ本体の上部には前記キャップ本体よりも上方に突出して飲み口を有する立上り口部を設け、 
前記蓋部を開閉動作可能に支持する支持機構を設け、 
前記飲み口が前記蓋部によって閉塞された際に前記蓋部を前記キャップ本体に結合するために前記キャップ本体の外周面に形成した周縁溝と前記蓋部の内周面に形成した周縁突部とからなる結合機構を設けたことを特徴とするペットボトルのキャップ構造。
【請求項２】
前記蓋部には、前記蓋部が前記立上り口部の前記飲み口を閉塞している際に、前記蓋部が前記キャップ本体から外れないように前記ボトル本体に係止されるロック用部材を設けたことを特徴とする請求項１に記載のペットボトルのキャップ構造。
【請求項３】
前記キャップ本体には、ストラップ取付部を設けたことを特徴とする請求項１に記載のペットボトルのキャップ構造。 
【手続補正２】
【補正対象書類名】明細書
【補正対象項目名】０００７
【補正方法】変更
【補正の内容】
【０００７】
この考案は、首部を有するボトル本体と、前記首部の開口を塞ぐように前記首部に取り付けられるボトルキャップとを備えるペットボトルのキャップ構造において、前記ボトルキャップは、前記ボトル本体の前記首部に取り付けられるキャップ本体と、前記キャップ本体に繋がる蓋部とを備え、前記キャップ本体の上部には前記キャップ本体よりも上方に突出して飲み口を有する立上り口部を設け、前記蓋部を開閉動作可能に支持する支持機構を設け、前記飲み口が前記蓋部によって閉塞された際に前記蓋部を前記キャップ本体に結合するために前記キャップ本体の外周面に形成した周縁溝と前記蓋部の内周面に形成した周縁突部とからなる結合機構を設けたことを特徴とする。
【手続補正３】
【補正対象書類名】図面
【補正対象項目名】図３
【補正方法】変更
【補正の内容】
【図３】
0003188713.tif 000011
【手続補正４】
【補正対象書類名】図面
【補正対象項目名】図４
【補正方法】変更
【補正の内容】
【図４】
0003188713.tif 000012
【手続補正５】
【補正対象書類名】図面
【補正対象項目名】図５
【補正方法】変更
【補正の内容】
【図５】
0003188713.tif 000013